(57)【特許請求の範囲】
【請求項１】
方法であって、
近距離場通信（ＮＦＣ）用に構成されたモバイル通信デバイスの、取引端末システムのＮＦＣインタフェースモジュールとのインタフェース接続に応答して、前記モバイル通信デバイスのモバイルアプリケーションと前記取引端末システムとの間で情報を交換するステップであって、交換される前記情報が、
前記取引端末システムの端末システム通貨を示す前記取引端末システムによって保持される情報、及び
ユーザ通貨を示す前記モバイル通信デバイスに保持される情報
のうちの少なくとも１つを含む、ステップと、
前記取引端末システム又は前記モバイルアプリケーションが、前記端末システム通貨を前記ユーザ通貨と比較し、差異がある場合には、通貨選択肢提案を前記モバイル通信デバイスのディスプレイに表示させるステップと、
前記ユーザ通貨のユーザ選択に応答して、前記ユーザ通貨で取引を実行させるステップと、
を含み、前記モバイル通信デバイスの前記ディスプレイが、ユーザが通貨選択肢提案を選択することを可能にするように構成されている、方法。
【請求項２】
前記モバイル通信デバイスの前記ディスプレイを使用した通貨選択肢提案のユーザ選択に応答して、前記取引が前記ユーザ通貨で実行される、請求項１に記載の方法。
【請求項３】
情報の前記交換が、前記モバイル通信デバイスによる前記取引端末システムの前記ＮＦＣインタフェースモジュールに対する少なくとも最初のタップに応答して実行される、請求項１又は２に記載の方法。
【請求項４】
通貨選択肢提案を前記モバイル通信デバイスのディスプレイに表示させるステップが、取引の量を、前記端末システム通貨及び前記ユーザ通貨のうちの少なくとも１つを含む、少なくとも１つの通貨で表示するステップを含む、請求項１〜３のいずれか一項に記載の方法。
【請求項５】
通貨選択肢提案を前記モバイル通信デバイスのディスプレイに表示させるステップが、  取引の量を、ユーザ通貨を含む少なくとも１つの通貨で表示するステップと、
前記端末システム通貨と前記ユーザ通貨との間の通貨変換レート及び通貨変換手数料のうちの少なくとも１つを表示するステップと、を含む、請求項１〜４のいずれか一項に記載の方法。
【請求項６】
前記取引の前記量が、購入されるべき商品又はサービスについての情報の入力の結果として、前記取引端末システムによって決定される、請求項４又は５に記載の方法。
【請求項７】
前記モバイル通信デバイスの、前記取引端末システムの前記ＮＦＣインタフェースモジュールとのインタフェース接続に応答して、前記モバイルアプリケーションが、情報を交換するために起動される、請求項１〜６のいずれか一項に記載の方法。
【請求項８】
前記取引端末システム又は前記モバイルアプリケーションのうちの少なくとも１つが、通貨間の取引量を変換する通貨変換値を保持するステップを含む、請求項１〜７のいずれか一項に記載の方法。
【請求項９】
通貨変換値が、第１の通貨と第２の通貨との間の通貨変換レートを特定し、前記通貨変換レートの有効性の満了を示す、請求項８に記載の方法。
【請求項１０】
前記取引端末システム又は前記モバイルアプリケーションのうちの１つが、前記通貨変換レートの有効性が満了した通貨変換値にアクセスし、前記取引端末システム又は前記モバイルアプリケーションのうちの前記１つが、遠隔サーバにアクセスして現在の通貨変換値を取得する、請求項９に記載の方法。
【請求項１１】
ジオロケーション、前記モバイル通信デバイスが接続されているモバイル電気通信セルの位置、又は前記モバイル通信デバイスが接続されている取引端末システムの位置を使用して前記モバイル通信デバイスの位置を決定するステップと、
前記モバイル通信デバイスの前記決定された位置に基づいて、通貨変換値を遠隔サーバから前記モバイルアプリケーションにダウンロードさせるステップと、
を含む、請求項１〜１０のいずれか一項に記載の方法。
【請求項１２】
前記端末システム通貨及び前記ユーザ通貨が異なるとの決定に応答して、前記端末システム通貨から前記ユーザ通貨への現在の通貨変換値を遠隔サーバから前記取引端末システム又は前記モバイルアプリケーションのうちの１つにダウンロードさせるステップを含む、請求項１〜１１のいずれか一項に記載の方法。
【請求項１３】
前記取引端末システム及び前記モバイル通信デバイスのうちの少なくとも１つが、取引セッションを識別するセッション識別子を保持するステップを含み、前記セッション識別子が、セッションの処理段階を特定し、それにより、ＮＦＣ通信の切断によってセッションが中断された場合に、前記セッションを前記ＮＦＣセッションの再開時に再開することができる、請求項１〜１２のいずれか一項に記載の方法。
【請求項１４】
前記取引端末システム及び前記モバイル通信デバイスのうちの少なくとも１つが、ＮＦＣ通信の切断を識別し、前記モバイル通信デバイスと前記取引端末システムとの間のインタフェースを再確立するようにユーザに促すように動作可能である、請求項１〜１３のいずれか一項に記載の方法。
【請求項１５】
前記取引端末システム又は前記モバイルアプリケーションが前記端末システム通貨を前記ユーザ通貨と比較し、差異がある場合には、通貨選択肢提案を前記モバイル通信デバイスのディスプレイに表示させるステップが、
モバイル通信デバイスのモバイルアプリケーションが、ユーザ通貨選択肢選好パラメータを記憶し、変換レート及び量を決定し、通貨提案が前記記憶したユーザ通貨選択肢選好パラメータと一致するとの判定に応答して、前記モバイル通信デバイスの前記ディスプレイに通貨選択肢提案の前記表示を引き起こすステップを含む、請求項１〜１４のいずれか一項に記載の方法。
【請求項１６】
前記モバイルアプリケーションが、前記モバイル通信デバイスが前記モバイル通信デバイスの自国以外の国にあると決定するステップと、ユーザにユーザ通貨選択肢選好パラメータを選択するように促すステップと、前記ユーザが選択した通貨選択肢選好パラメータを記憶するステップと、を含む、請求項１５に記載の方法。
【請求項１７】
プログラムコードを含む１つ又は複数のコンピュータプログラムであり、該プログラムコードが１つ又は複数のプロセッサに請求項１〜１６のいずれか一項に記載の方法を実行させるように動作可能である、コンピュータプログラム。
【請求項１８】
近距離場通信（ＮＦＣ）インタフェースモジュールを備える取引端末システムであって、前記取引端末システムは、ＮＦＣ用に構成されたモバイル通信デバイスの、前記取引端末システムの前記ＮＦＣインタフェースモジュールとのインタフェース接続に応答して、
前記モバイル通信デバイスのモバイルアプリケーションと前記取引端末システムとの間で情報の交換を引き起こすステップであって、交換される前記情報が、
前記取引端末システムの端末システム通貨を示す前記取引端末システムによって保持される情報、及び
ユーザ通貨を示す前記モバイル通信デバイスに保持される情報
のうちの少なくとも１つを含む、ステップと、
前記端末システム通貨を前記ユーザ通貨と比較し、差異がある場合には、通貨選択肢提案を前記モバイル通信デバイスのディスプレイに表示させるステップと、
前記ユーザ通貨のユーザ選択に応答して、前記ユーザ通貨で取引を実行させるステップと、
を実行するように構成されており、前記モバイル通信デバイスの前記ディスプレイが、ユーザが通貨選択肢提案を選択することを可能にするように構成されている、取引端末システム。
【請求項１９】
前記モバイル通信デバイスの前記ディスプレイを使用した通貨選択肢提案のユーザ選択に応答して、前記取引が前記ユーザ通貨で実行される、請求項１８に記載の取引端末システム。
【請求項２０】
情報の前記交換を、前記モバイル通信デバイスによる前記取引端末システムの前記ＮＦＣインタフェースモジュールに対する少なくとも最初のタップに応答して実行するようにさらに構成されている、請求項１８又は１９に記載の取引端末システム。
【請求項２１】
購入されるべき商品又はサービスについての情報の入力の結果として、前記取引の量を決定するように構成されている、請求項１８〜２０のいずれか一項に記載の取引端末システム。
【請求項２２】
前記端末システム通貨と前記ユーザ通貨が異なるとの決定に応答して、前記端末システム通貨から前記ユーザ通貨への現在の通貨変換値を遠隔サーバから前記取引端末システムにダウンロードさせるように構成されている、請求項１８〜２１のいずれか一項に記載の取引端末システム。
【請求項２３】
取引セッションを識別するセッション識別子を保持するように構成されており、前記セッション識別子が、セッションの処理段階を特定し、それにより、ＮＦＣ通信の切断によってセッションが中断された場合に、前記セッションが前記ＮＦＣセッションの再開時に再開される、請求項１８〜２２のいずれか一項に記載の取引端末システム。
【請求項２４】
ＮＦＣ通信の切断を識別し、前記モバイル通信デバイスと前記取引端末システムとの間のインタフェースを再確立するようにユーザに促すように構成されている、請求項１８〜２３のいずれか一項に記載の取引端末システム。
【請求項２５】
近距離場通信（ＮＦＣ）インタフェースモジュールを備えるモバイル通信デバイスであって、前記モバイル通信デバイスは、前記モバイル通信デバイスの、取引端末システムのＮＦＣインタフェースモジュールとのインタフェース接続に応答して、
前記モバイル通信デバイスのモバイルアプリケーションと前記取引端末システムとの間で情報を交換するステップであって、交換される前記情報が、
前記取引端末システムの端末システム通貨を示す前記取引端末システムによって保持される情報、及び
ユーザ通貨を示す前記モバイル通信デバイスに保持される情報
のうちの少なくとも１つを含む、ステップと、
前記取引端末システムからの通貨選択肢提案の受けとりに応答して、前記通貨選択肢提案を前記モバイル通信デバイスのディスプレイに表示するステップと、
前記ユーザ通貨のユーザ選択に応答して、前記ユーザ通貨で取引を実行するために前記ユーザ選択を前記取引端末システムに伝送するステップと、
を実行するように構成されており、
前記モバイル通信デバイスの前記ディスプレイが、ユーザが通貨選択肢提案を選択することを可能にするように構成されている、モバイル通信デバイス。
【請求項２６】
前記モバイル通信デバイスの前記ディスプレイを使用した通貨選択肢提案のユーザ選択に応答して、前記取引が前記ユーザ通貨で実行される、請求項２５に記載のモバイル通信デバイス。
【請求項２７】
情報の前記交換を、前記モバイル通信デバイスによる前記取引端末システムの前記ＮＦＣインタフェースモジュールに対する少なくとも最初のタップに応答して実行するように構成されている、請求項２５又は２６に記載のモバイル通信デバイス。
【請求項２８】
取引の量を、前記端末システム通貨及びユーザ通貨のうちの少なくとも１つを含む、少なくとも１つの通貨で表示するように構成されている、請求項２５〜２７のいずれか一項に記載のモバイル通信デバイス。
【請求項２９】
取引の量を、前記ユーザ通貨を含む少なくとも１つの通貨で表示し、
前記端末システム通貨と前記ユーザ通貨との間の通貨変換レート及び通貨変換手数料のうちの少なくとも１つを表示するように構成されている、請求項２５〜２８のいずれか一項に記載のモバイル通信デバイス。
【請求項３０】
前記モバイル通信デバイスの、前記取引端末システムの前記ＮＦＣインタフェースモジュールとのインタフェース接続に応答して、前記モバイルアプリケーションを、情報を交換するために起動させるように構成されている、請求項２５〜２９のいずれか一項に記載のモバイル通信デバイス。
【請求項３１】
取引セッションを識別するセッション識別子を保持するように構成され、前記セッション識別子が、セッションの処理段階を特定し、それにより、ＮＦＣ通信の切断によってセッションが中断された場合に、前記セッションを前記ＮＦＣセッションの再開時に再開することができる、請求項２５〜３０のいずれか一項に記載のモバイル通信デバイス。
【請求項３２】
ＮＦＣ通信の切断を識別し、前記モバイル通信デバイスと前記取引端末システムとの間のインタフェースを再確立するようにユーザに促すように構成されている、請求項２５〜３０のいずれか一項に記載のモバイル通信デバイス。
【請求項３３】
近距離場通信（ＮＦＣ）インタフェースモジュールを備えるモバイル通信デバイスのモバイルアプリケーションであって、前記モバイル通信デバイスは、前記モバイル通信デバイスの、取引端末システムのＮＦＣインタフェースモジュールとのインタフェース接続に応答して、前記モバイル通信デバイスのモバイルアプリケーションと前記取引端末システムとの間で情報を交換するように構成されており、
交換される前記情報は、前記取引端末システムから前記モバイル通信デバイスの前記モバイルアプリケーションが受けた取引情報を少なくとも含み、
前記モバイルアプリケーションは、前記モバイル通信デバイスに対して、
ユーザ通貨選択肢選好パラメータを記憶するステップと、
変換レート及び量を決定するステップと、
通貨提案が前記記憶したユーザ通貨選択肢選好パラメータと一致するとの決定に応答して、前記モバイル通信デバイスのディスプレイに通貨選択肢提案を表示し、それ以外の場合には、自動的に、前記記憶したユーザ通貨選択肢選好パラメータに従って取引を行うステップと、
を実行させるように動作可能であり、
前記モバイル通信デバイスの前記ディスプレイが、ユーザが通貨選択肢提案を選択することを可能にするように構成されている、モバイルアプリケーション。
【請求項３４】
前記モバイル通信デバイスに対して、
前記モバイル通信デバイスのディスプレイに取引のレコードを表示するステップ、及び
前記モバイル通信デバイスの記憶装置に取引のレコードを記憶するステップ
のうちの少なくとも１つを実行させるようにさらに動作可能である、請求項３３に記載のモバイルアプリケーション。
【請求項３５】
前記モバイル通信デバイスに対して、
前記モバイル通信デバイスが前記モバイル通信デバイスの自国以外の国にあると決定するステップと、
ユーザにユーザ通貨選択肢選好パラメータを選択するように促すステップと、
前記ユーザが選択した通貨選択肢選好パラメータを記憶するステップと、
を実行させるようにさらに動作可能である、請求項３３又は３４に記載のモバイルアプリケーション。
【発明の詳細な説明】
【背景】
【０００１】
本発明は、取引（transaction：トランザクション）を行うシステム及び方法に関する。
【０００２】
通常、取引は、現金、例えば取引端末システムによって読み取られるクレジットカードなどの磁気ストライプ及び／又はチップを備える決済カードを使用して行うことができる。また、例えば近距離場通信（ＮＦＣ）デバイスを使用する非接触型システムを使用して決済（payment：ペイメント）を行うことも既知である。このようなデバイスの例としては、ＮＦＣインタフェースモジュールを含む支払カード、前払いカード及びモバイル通信デバイスが挙げられる。
【０００３】
例えば販売時点情報管理（ＰＯＳ）システム、現金自動預払機（ＡＴＭ）ワークステーションなど、代表的な取引端末システムは、その取引端末システムがある現地の通貨での取引を提供する。しかし、ユーザが別の通貨での取引を行うことを望むこともある。当技術分野では、取引端末システムがある現地の通貨以外の通貨で決済を行うことをユーザが望む場合に決済を行うための様々な技法が既知である。
【０００４】
例えば、ＥＰ１０１８７１１は、決済カード番号から識別コードを識別するステップと、この識別コードを発行者コード及び対応する通貨コードを含むテーブルのエントリと比較して、カード取引と関連付けるオペレーティング通貨を決定するステップとを含む手法を開示している。
【０００５】
国際公開第２００６／００９８１６号は、顧客が金融機関に保持している金融機関と関連付けられた金融口座番号を受け取り、その金融口座と関連付けられた外国通貨の種類を決定し、選択肢をユーザに対して提示して、その後に顧客による通貨の選択に応じて通貨取引を行う手法を開示している。
【０００６】
代替通貨を提案する従来のＰＯＳシステムは、ＰＯＳシステムのところの加盟店が、顧客がそのＰＯＳシステムがある現地の通貨を使用して決済を行うことを望むか、それともユーザのクレジットカードと関連付けられた請求通貨を使用して決済を行うことを望むかをユーザに質問することを必要とする。代替通貨を提案する従来のＡＴＭシステムは、ＡＴＭが代替通貨の提案を表示し、ユーザが提案された代替通貨のうちの１つをＡＴＭのキーボードを使用して選択することを必要とする。
【０００７】
ユーザが決済のための通貨を選択できるような取引を行う改善された方法を提供することが必要とされている。
【概要】
【０００８】
本願で特許請求する主題は、特許請求の範囲で定義される。
【０００９】
取引のための通貨の選択を容易にする方法は、近距離場通信（ＮＦＣ）用に構成されたモバイル通信デバイスの、取引端末システムのＮＦＣインタフェースモジュールとのインタフェース接続に応答して、モバイル通信デバイスのモバイルアプリケーションと取引端末システムとの間で情報を交換するステップであって、交換される情報が、取引端末システムの端末システム通貨を示す取引端末システムによって保持される情報、及びユーザ通貨を示すモバイル通信デバイスに保持される情報のうちの少なくとも１つを含む、ステップと、取引端末システム又はモバイルアプリケーションが、端末システム通貨をユーザ通貨と比較し、差異がある場合には、通貨選択肢提案をモバイル通信デバイスのディスプレイに表示させるステップと、ユーザ通貨のユーザ選択に応答して、ユーザ通貨で取引を実行させるステップと、を含む。
【００１０】
情報の交換は、例えば、モバイル通信デバイスによる取引端末システムのＮＦＣインタフェースモジュールに対する少なくとも最初のタップに応答して実行することができる。取引を実行させるステップは、例えば、モバイル通信デバイスによる取引端末システムのＮＦＣインタフェースの２回目のタップを例えば使用するなど、モバイル通信デバイスを使用したユーザアクションに応答して達成することができる。
【００１１】
通貨選択肢提案をモバイル通信デバイスのディスプレイに表示させるステップは、例えば、取引の量を、端末システム通貨及びユーザ通貨のうちの少なくとも１つを含む、少なくとも１つの通貨で表示するステップを含む。
【００１２】
通貨選択肢提案をモバイル通信デバイスのディスプレイに表示させるステップは、例えば取引の量を、ユーザ通貨を含む少なくとも１つの通貨で表示するステップと、端末システム通貨とユーザ通貨との間の通貨変換レート及び通貨変換手数料のうちの少なくとも１つを表示するステップと、を含む。
【００１３】
取引の量は、例えば、購入されるべき商品又はサービスについての情報の入力の結果として、取引端末システムによって決定することができる。
【００１４】
モバイル通信デバイスの、取引端末システムのＮＦＣインタフェースモジュールとのインタフェース接続に応答して、モバイルアプリケーションは、情報を交換するために例えば起動することができる。
【００１５】
取引端末システム又はモバイルアプリケーションのうちの少なくとも１つは、例えば、通貨間の取引量を変換する通貨変換値を保持することができる。通貨変換値は、例えば、第１の通貨と第２の通貨との間の通貨変換レート、及び通貨変換レートの有効性の満了を特定することができる。取引端末システム又はモバイルアプリケーションのうちの１つが、通貨変換レートの有効性が満了した通貨変換値にアクセスする場合に、取引端末システム又はモバイルアプリケーションのうちの上記の１つは、例えば、遠隔サーバにアクセスして現在の通貨変換値を取得することができる。モバイル通信デバイスの位置は、例えば、ジオロケーション、モバイル通信デバイスが接続されているモバイル電気通信セルの位置、又はモバイル通信デバイスが接続されている取引端末システムの位置を使用して決定することができ、通貨変換値は、例えば、モバイル通信デバイスの決定された位置に基づいて、遠隔サーバからモバイルアプリケーションにダウンロードすることができる。
【００１６】
端末システム通貨をユーザ通貨と比較した結果として端末システム通貨及びユーザ通貨の決定に応答して、取引通貨からユーザ通貨への現在の通貨変換値を、例えば、遠隔サーバから取引端末システム又はモバイルアプリケーションのうちの１つにダウンロードすることができる。
【００１７】
近距離場通信（ＮＦＣ）インタフェースモジュールを備えるモバイル通信デバイスのモバイルアプリケーションが提供され、このモバイル通信デバイスは、モバイル通信デバイスの、取引端末システムのＮＦＣインタフェースモジュールとのインタフェース接続に応答して、モバイル通信デバイスのモバイルアプリケーションと取引端末システムとの間で情報を交換するように構成されており、交換される情報は、取引端末システムからモバイル通信デバイスのモバイルアプリケーションが受けた取引情報を少なくとも含む。このモバイルアプリケーションは、モバイル通信デバイスに対して、ユーザ通貨選択肢選好パラメータを記憶するステップと、変換レート及び量を決定するステップと、通貨提案が記憶したユーザ通貨選択肢選好パラメータと一致するとの決定に応答して、モバイル通信デバイスのディスプレイに通貨選択肢提案を表示し、それ以外の場合には、自動的に、記憶したユーザ通貨選択肢選好パラメータに従って取引を行うステップと、を実行させるように動作可能である。
【００１８】
このモバイルアプリケーションは、モバイル通信デバイスに対して、モバイル通信デバイスのディスプレイに取引のレコードを表示するステップ、及びモバイル通信デバイスの記憶装置に取引のレコードを記憶するステップ、のうちの少なくとも１つを実行させるようにさらに動作可能にすることができる。
【００１９】
このモバイルアプリケーションは、モバイル通信デバイスに対して、モバイル通信デバイスがモバイル通信デバイスの自国（home country：ホームカントリー）以外の国にあると決定するステップと、ユーザにユーザ通貨選択肢選好パラメータを選択するように促すステップと、ユーザが選択した通貨選択肢選好パラメータを記憶するステップと、を実行させるように動作可能にすることができる。
【００２０】
本発明の様々な態様を添付の特許請求の範囲に記載するが、本発明のその他の態様は、添付の特許請求の範囲に明示的に記載する組合せだけでなく、記載する実施形態及び／又は添付の従属請求項の特徴と、独立請求項の特徴の任意の組合せを含む。
【図面の簡単な説明】
【００２１】
添付の図面を参照して、例示のみを目的として、実施形態について説明する。
【図１】動的通貨変換を実現するカード決済システムの構成の例を示す概略ブロック図である。
【図２】取引端末システムの例を示すブロック図である。
【図３】動的通貨変換ホストシステムの例を示すブロック図である。
【図４】モバイル通信デバイスの機能構成要素の例を示す概略ブロック図である。
【図５】モバイルアプリケーションの機能構成要素を示す概略ブロック図である。
【図６Ａ】動作方法の例を示す流れ図である。
【図６Ｂ】動作方法の例を示す流れ図である。
【図７】例示的な動作方法の態様を示す流れ図である。
【図８】例示的な動作方法の態様を示す流れ図である。
【詳細な説明】
【００２２】
図１は、例示的な決済カードシステム１００を示す概略ブロック図である。
【００２３】
図１は、カード決済機能を含み、加えて動的通貨変換（ＤＣＣ）システム機能も含む、取引端末システム（又は取引ステーションシステム）１０を示している。この取引端末システム１０は、例えば小売業者の敷地内に位置する販売時点情報管理端末として構成することもできるし、或いは例えば現金自動預払機であってもよい。
【００２４】
取引端末システム１０は、図２を参照して説明するように、カード決済及び購入の詳細を受け付ける１つ又は複数のインタフェースモジュールを含むことができる。取引端末システム１０は、通信ネットワークを介して（例えばインターネット、電話回線網、又は別のネットワークを介して）、以下では加盟店銀行システム１２と呼ぶ、小売業者に銀行業務サービスを提供する銀行のコンピュータシステム１２と通信している。カード決済の処理の一部として、取引端末システム１０は、決済認可要求メッセージ２０を生成する。
【００２５】
加盟店銀行システム１２は、１つ又は複数のコンピュータを含むことができる。加盟店銀行システム１２は、取引端末システム１０から決済認可要求メッセージ２０を受け取り、やがて認可応答メッセージ３０を取引端末システム１０に返送するように動作可能にすることができる。加盟店銀行システム１２は、さらに、通信ネットワークを介して（例えばインターネット、電話回線網、又は別のネットワークを介して）、決済カード事業者のコンピュータシステムのネットワーク１４（以下ではスキームネットワーク（ｓｃｈｅｍｅ  ｎｅｔｗｏｒｋ）システム１４と呼ぶ）と通信している。図１にはスキームネットワークシステム１４を１つしか示していないが、加盟店銀行システム１２は、各決済カード事業者それぞれのスキームネットワークシステムと通信することになる。
【００２６】
加盟店銀行システム１２は、取引端末システム１０から受け取った決済認可要求メッセージ２０を分析して、当該のカードの適当なスキームネットワークシステム１４を決定し、決済認可要求メッセージ２２をその適当なスキームネットワークシステム１４に転送するように動作可能である。
【００２７】
スキームネットワークシステム１４は、加盟店銀行システム１２から決済認可要求メッセージ２２を受け取り、やがて加盟店銀行システム１２に認可応答メッセージ２８を返送するように動作可能にすることができる。スキームネットワークシステム１４は、さらに、通信ネットワークを介して（例えばインターネット、電話回線網、又は別のネットワークを介して）、決済カードを発行した金融機関のコンピュータシステム１６（以下、発行側金融機関システムと呼ぶ）と通信している。図１には発行側金融機関システム１６を１つしか示していないが、スキームネットワークシステム１４は、各発行側金融機関それぞれの発行側金融機関システム１６と通信している可能性がある。
【００２８】
スキームネットワークシステム１４は、受け取った決済認可要求メッセージ２２を分析して、決済カードを発行した発行側金融機関を識別するように動作可能にすることができる。スキームネットワークシステム１４は、次いで、決済認可要求メッセージ２４を当該の発行側金融機関システム１６に転送し、発行側金融機関システム１６から応答メッセージ２６を受け取るように動作可能である。
【００２９】
発行側金融機関システム１６は、決済認可要求メッセージ２４を受け取り、決済要求の詳細を当該の決済カードについて保持されている記録と比較することによってこの認可要求を処理し、次いで適当な認可応答メッセージ２６をスキームネットワークシステム１４に伝送するように動作可能にすることができる。認可応答メッセージは、決済が認可されたか否かについての確認など、様々な詳細を含む。認可応答メッセージ２６は、次いで、スキームネットワークシステム１４及び加盟店銀行システム１２を介して取引端末システム１０に転送される。
【００３０】
以下、取引端末システム１０とＤＣＣホストシステム１８の間で遣り取りされるレート要求及びレート応答メッセージについてのさらなる詳細を与える。
【００３１】
取引の通貨を確認すると、取引端末システム１０は、認可要求メッセージ又は金融提示要求メッセージ又は金融提示助言メッセージ又は清算メッセージ（例えばカード保有者の自国又は請求通貨）を、加盟店銀行システム１２及びスキームネットワークシステム１４を介して発行側金融機関システム１６に伝送するように動作可能にすることができる。
【００３２】
図２は、例示的な取引端末システム１０を示す概略ブロック図である。図２に示す例示的な取引端末システム１０は、１つ又は複数のプロセッサ４０と、プログラム及びデータを記憶する記憶装置４２（揮発性及び不揮発性のメモリ及び記憶装置を含む可能性がある）と、いくつかの周辺構成要素とを含むＰＯＳシステムである。
【００３３】
図２は、記憶装置４２が、取引処理（ＴＰ）アプリケーションモジュール４４を形成するカード処理アプリケーション、ＤＣＣモジュール４６及び参照国名及び／又は通貨情報４８を形成するＤＣＣアプリケーション、端末がある現地の通貨で発行されているカードを識別する現地通貨カードファイル４９（このファイルは、例えば発行者識別番号／銀行識別番号（ＩＩＮ／ＢＩＮ）テーブル４９など様々な形態を取り得る）、並びに外国通貨テーブル４７を含むことを示している。なお、記憶装置４２は、他のアプリケーション及びデータを含むこともできることに留意されたい。
【００３４】
参照国名及び／又は通貨情報４８は、例えばＩＳＯ国名コード並びにアルファ通貨コード及び／又は数字通貨コードとして、記憶装置４２のファイル又はレジスタに保持することができる。
【００３５】
現地通貨カードファイルが現地ＩＩＮ／ＢＩＮテーブル４９として実装される場合には、これは、決済カードが取引端末の現地通貨をその決済カードの請求通貨として有している現地銀行及びその他の金融機関を識別することができ、これにより、その決済カードのユーザ（カード保有者）は、動的通貨変換に適格にならない。現地ＩＩＮ／ＢＩＮテーブルの個々のエントリは、例えば以下についてのフィールドのうちの１つ又は複数など、様々なフィールドを含むことができる。すなわち、
ＩＩＮ／ＢＩＮ、
アルファ請求通貨コード（例えばアルファＩＳＯ通貨コード）、
数字請求通貨コード（例えば数字ＩＳＯ通貨コード）、
国名コード（例えばＩＳＯ国名コード）。
【００３６】
外国通貨テーブル４７は、取引端末システム１０が動的通貨変換で対応する外国通貨を示す指示を含むことができる。外国通貨テーブル４７の個々のエントリは、例えば以下についてのフィールドのうちの１つ又は複数など、様々なフィールドを含むことができる。すなわち、
アルファ外国通貨コード（例えばアルファＩＳＯ通貨コード）、
数字外国通貨コード（例えば数字ＩＳＯ通貨コード）。
【００３７】
図２は、キーボード／キーパッド５０、スキャナ５２、カードインタフェースモジュール５４、及び近距離場通信（ＮＦＣ）インタフェースモジュール５５も概略的に表している。キーボード／キーパッド５０は、分離したキーを備えたキーボード／キーパッドであってもよいし、又はタッチスクリーン型キーボード／キーパッドとして構成されてもよく、数字及び／又はその他の文字の入力に適宜使用することができる。スキャナ５２は、例えば、バーコードスキャナ又はＱＲコード［登録商標］スキャナなどとすることができる。カードインタフェースモジュール５４は、決済カードからデータを読み取るように構成することができる。カードインタフェースモジュール５４は、適宜、磁気ストライプ読取り装置、接触型チップカード読取り装置、非接触型チップカード読取り装置などとすることができる。また、適当である場合には、カードインタフェースモジュール５４は、適当に構成された決済カードに情報を書き込むように動作可能にすることもできる。ＮＦＣインタフェースモジュール５５は、ユーザの例えば携帯電話などのモバイル通信デバイス１００と通信するために使用することができる。ＮＦＣインタフェースモジュール５５は、カードインタフェースモジュール５４の一部とすることができ、また、非接触型カードインタフェースモジュールを形成するために使用することもできる。
【００３８】
図２は、さらに、ディスプレイ５６、プリンタ５８及び通信インタフェースモジュール６０も概略的に表している。ディスプレイ５６は、取引端末システム１０を操作している小売業者／加盟店及び／又はユーザを支援するために入力データ及び／又はメッセージを表示するのに適した数字ディスプレイ、英数字ディスプレイ、画像ディスプレイなどとすることができる。プリンタは、購入受領証及び／又はその他の情報を印刷するために使用することができる。通信インタフェースモジュール６０は、直接の、又は中間ネットワーク（図示せず）を介した、取引端末システム１０からＤＣＣホストシステム１８への１つ又は複数の通信チャネル６２を介した通信を可能にする。
【００３９】
上述の例では、取引端末システム１０は、決済引受デバイス又は現金自動預払機又は販売時点情報管理システムである。ただし、取引端末システム１０は、インターネットに接続されたワークステーションの形態であってもよいことを理解されたい。取引端末システムは、ホテル、劇場、小売事業所などの取引システムに、完全に、又は部分的に一体化することもできる。
【００４０】
図３は、ＤＣＣホストシステム１８の例を示す概略ブロック図である。図３に示す例示的なＤＣＣホストシステム１８は、１つ又は複数のプロセッサ７０、並びにプログラム及びデータを記憶する記憶装置７２（揮発性メモリ及び不揮発性メモリを含み得る）を含む。図３は、記憶装置７２が、ＤＣＣモジュール７６と、自国通貨ファイル７５、通貨変換又は交換レートテーブル７４、国名／通貨テーブル７７、及びデフォルト通貨テーブル７３を含む１つ又は複数のデータテーブルを形成する１つ又は複数のＤＣＣプログラムとを含むことを示す。なお、記憶装置７２は、他のアプリケーション及びデータを含むこともできることに留意されたい。
【００４１】
自国通貨ファイル７５は、例えば、以下についてのフィールドを含む様々なフィールドを含むことができるエントリを有することができる、例えば請求通貨ファイル（ＢＣＦ７５）の形態をとることができる。すなわち、
口座請求ファイル識別子、
カード口座番号範囲の下側値、
カード口座番号範囲の上側値、
アルファ請求通貨コード（例えば２〜３文字のアルファＩＳＯ通貨コード）、
数字請求通貨コード（例えば３桁の数字ＩＳＯ通貨コード）。
【００４２】
通貨変換レートテーブル７４は、現在の通貨変換データを抽出することができる情報を含むことができる。通貨変換テーブルのヘッダエントリは、例えば以下についてのフィールドのうちの１つ又は複数など、様々なフィールドを含むことができる。すなわち、
アウトゴーイングファイルプレフィックス（ｏｕｔｇｏｉｎｇ  ｆｉｌｅ  ｐｒｅｆｉｘ）、
ファイル識別子、
開始発効日、
開始発効時刻、
基本通貨コード（例えばＩＳＯ通貨コードを使用する）、
国名コード（例えばＩＳＯ国名コードを使用する）、
ファイルシーケンス番号（例えば、当該日に複数のファイルがなければ００１など）、
ファイル拡張（例えばＤＡＴ）。
【００４３】
通貨変換テーブル７４のボリュームは、例えば以下についてのフィールドのうちの１つ又は複数など、様々なフィールドを含むことができる。すなわち、
ボリュームヘッダ、
開始発効日、
開始発効時刻、
レートＩＤ。
【００４４】
通貨変換テーブル７４の個々の通貨変換エントリは、例えば以下についてのフィールドのうちの１つ又は複数など、様々なフィールドを含むことができる。すなわち、
アルファ通貨コード（例えばＩＳＯ規格の３文字のアルファコード）、
数字通貨コード（例えばＩＳＯ規格の２〜３文字の数字コード）、
ユーロ債指標（例えば通貨がユーロ債通貨であるかどうかを示すフラグ）、
通貨変換レート（例えば小数第４位まで丸めた交換レート）、
加盟店ＦＸレートカテゴリ、
有効開始日（例えば通貨変換レートが有効になる日付）、
有効開始時刻（例えば通貨変換レートが有効になる日の時刻）、
有効終了日（例えばその日以降通貨変換レートが無効になる日付）、
有効終了時刻（例えばその日のその時刻以降通貨変換レートが無効になる時刻）、
マークアップ率値、
マークアップ精度値（例えばマークアップの小数位精度を示す）。
【００４５】
通貨変換テーブル７４の最後のフィールドは、例えば以下についてのフィールドのうちの１つ又は複数など、様々なフィールドを含むことができる。すなわち、
トレイラライン（ｔｒａｉｌｅｒ  ｌｉｎｅ）、
通貨コードフィールドのチェックサム、
通貨変換レートフィールドのチェックサム、
レコード数。
【００４６】
国名／通貨テーブル７７は、国名とその国の公的な自国通貨とをマッピングするために使用される。通常は、１つの公的な自国通貨は１つの国名と関連付けられるが、例えばユーロのように、１つの公的な自国通貨と関連付けられる国名が複数あることもある。１つの例では、国名／通貨テーブルは国ごとに配列され、国についての各エントリが、それと関連付けられる公的な自国通貨を識別する。この例では、各エントリは、例えば以下のフィールドのうちの１つ又は複数など、１つ又は複数のフィールドを含むことができる。すなわち、
国名コード（例えばＩＳＯ国名コード）、
アルファ通貨コード（例えばＩＳＯ規格の３文字のアルファコード）、
数字通貨コード（例えばＩＳＯ規格の２〜３文字の数字コード）。
【００４７】
デフォルト通貨テーブル７３は、取引に使用されるデフォルト通貨を識別するために使用することができる。デフォルト通貨テーブル７３は、例えば、非対応のＤＣＣ通貨とデフォルト対応のＤＣＣ通貨の間のマッピングを含むことができ、特定の状況では、取引端末システム１０及び／又は直接通貨変換ホストシステム１８が対応していない通貨用に発行された決済カードが使用されたときに使用されるデフォルトＤＣＣ通貨を識別するために使用することができる。デフォルト通貨テーブル７３は、また、特定の状況では、取引端末システム１０の現地通貨では発行されていない決済カードに対して使用されるデフォルトＤＣＣ通貨を識別するために使用することもできる。１つの例では、デフォルト通貨テーブル７３は、投入通貨（例えば端末決済システムがある現地の通貨及び／又は非対応の通貨など）ごとに配列され、投入通貨についての各エントリが、それと関連付けられる対応するデフォルト通貨を識別する。この例では、各エントリは、例えば以下のフィールドのうちの１つ又は複数など、１つ又は複数のフィールドを含むことができる。すなわち、
アルファ投入通貨コード（例えばＩＳＯ規格の３文字のアルファコード）、
数字投入通貨コード（例えばＩＳＯ規格の２〜３文字の数字コード）、
アルファデフォルト通貨コード（例えばＩＳＯ規格の３文字のアルファコード）、
数字デフォルト通貨コード（例えばＩＳＯ規格の２〜３文字の数字コード）。
【００４８】
図３は、キーボード７８及びディスプレイ８０も概略的に表している。キーボード７８は、分離したキーを備えたキーボードであってもよいし、又はタッチスクリーン型キーボードとして構成されてもよく、数字及び／又はその他の文字の入力に適宜使用することができる。ディスプレイ８０は、オペレータがシステムデータを見ることができるようにするのに適した数字ディスプレイ、英数字ディスプレイ、画像ディスプレイなどとすることができる。
【００４９】
図３は、さらに、プリンタ８２及び通信インタフェースモジュール８４も示している。プリンタは、システムデータを印刷するために使用することができる。通信インタフェースモジュール８４は、直接の、又は中間ネットワーク（図示せず）を介した、取引端末システム１０及び加盟店銀行システム１２との１つ又は複数の通信チャネル８６を介した通信を可能にする。
【００５０】
図４は、例えばスマートフォンなどの携帯電話又はタブレットデバイスなどのモバイル通信デバイス４０の機能構成要素を示す概略ブロック図である。この例示的なモバイル通信デバイス４０は、１つ又は複数のプロセッサ１７０と、プログラム及びデータを記憶するメモリ１７２とを含む。音声入力及び出力１７６（例えばスピーカ及びマイクロフォン）、振動警報を出力する振動機構１７８、ディスプレイ１７４に重なるように構成されたユーザ入力用のタッチセンサ機構１８０、並びに１つ又は複数のキー１８２など、様々な入力及び出力が設けられる。セルラネットワークと無線通信するための無線モジュール１８４、近距離場通信技術と対話するためのＮＦＣインタフェースモジュール１８６、ＷｉＦｉ基地局と通信するためのＷｉＦｉモジュール１８８、Ｂｌｕｅｔｏｏｔｈ［登録商標］技術を使用して通信するためのＢｌｕｅｔｏｏｔｈモジュール１９０、及びモバイル通信デバイスの位置特定を行うためのＧＰＳモジュール１９２など、様々な通信インタフェースモジュールを設けることができる。例えばＳＩＭカード内のセキュア記憶装置１９８に保持されるモバイルネットワークアカウントデータ及び決済カードアカウントデータなどのユーザ特定データを含むＳＩＭカード１９６との接続のために、加入者識別モジュール（ＳＩＭ）カード読取り装置１９４も設けることができる。図４に示す様々な機能構成要素の相互作用は単に概略的にのみ示されていること、及びこのモバイル通信デバイス内では個々の構成要素の任意の適当な従来の構成が可能であることは、理解されるであろう。
【００５１】
図５は、モバイルアプリケーション７２０の機能構成要素を示す概略ブロック図である。モバイルアプリケーション７２０は、モバイル通信デバイス４０の記憶装置１７２に保持することができ、モバイルデバイスの１つ又は複数のプロセッサ１７０を制御して様々な機能を実現するように動作可能にすることができる。これらの機能は、特許請求する主題の理解に関係がないという理由で本明細書では説明しない機能も含み得る。例えば、モバイルアプリケーションは、ユーザとしての旅行者に対応し、旅行をしているそのユーザを支援するための様々な機能を提供することができる。例えば、機能モジュールは、旅行の推薦及び情報を提供することができ、例えば税金還付プロセスで旅行者を支援する機能に対応することができる。
【００５２】
図５は、モバイルアプリケーション７２０がモバイル通信デバイス４０の記憶装置１７２に記憶することができるセッション識別子７２２を示している。セッション識別子処理論理７２４は、取引端末の取引端末ソフトウェアと組み合わさって、モバイル通信デバイス４０と取引端末システム１０の間の取引セッションを識別するセッション識別子７２２を管理するように動作可能にすることができる。図５は、また、モバイルアプリケーション７２０がモバイル通信デバイス４０の記憶装置１７２に記憶することができる通貨選択肢選好７２６も示している。通貨選択肢選好論理７２８は、通貨選択肢のユーザによる選択に応答して通貨選択肢選好７２６を記憶装置１７２に記憶するように動作可能にすることができる。例えば、通貨選択肢選好論理７２８は、例えばセットアッププロセスの一部として、可能であればユーザに対して提案された通貨群からユーザが選択した通貨、例えばユーザの決済口座に関連付けられた１つ又は複数の通貨を使用して、全ての取引或いは１つ又は複数のクラスの取引が実行されることを選択するオプションをユーザに提供することができる。
【００５３】
図６Ａは、取引端末システム１０などの取引端末システムと対話するための、例えば近距離場通信（ＮＦＣ）などの無線周波識別（ＲＦＩＤ）機能を備えた、例えば携帯電話、タブレット、スマートウォッチなどのウェアラブルデバイスなどのユーザの通信デバイスの使用を示すプロセスフロー２００の例を示す図である。例示的な実施形態では、モバイル通信デバイス４０は、携帯電話１０のＮＦＣインタフェースモジュール１８６及び取引端末システム１０のＮＦＣインタフェースモジュール５５を介して取引端末システム１０と対話することができる、モバイルアプリケーション７２０を備えた携帯電話である。
【００５４】
取引端末システム１０は、例えば、ユーザに商品及び／又はサービスを販売している加盟店の販売時点情報管理端末とすることができる。ステップ２０２で、取引端末システムは、例えば、ユーザが購入したいと思う１つ又は複数の商品又はサービスに関するコスト情報を含む情報を収集するように動作可能にすることができる。取引端末システムは、例えば、例えばキーボードを使用した各品目の詳細又はコスト（品目値）の手作業による入力の結果として、或いはスキャンによって、非接触読取りによって、又は機械可読デバイスが値を示すことによって、品目の価格又はコストなど購入されるいくつかの品目の詳細を記録するように構成することができる。例えば、品目の値は、例えば機械可読製品コードの手作業による入力或いはスキャン又は非接触読取りなどによるその品目の製品コードなどの入力に基づいて、取引端末システムの記憶装置から取り出す、又はサーバからの遠隔参照によって取り出すことができる。品目値は、通常は、端末の主要通貨で表され、それにちなんで端末の主要通貨は端末通貨と呼ばれる。各品目が入力されるにつれて、その品目値、品目識別子、及び場合によってはさらなるデータが、取引端末システム及び／又は取引端末システムに関連付けられたサーバの記憶装置に記憶される。
【００５５】
２次通貨又はさらなる通貨での代替のコスト又は価格も、取引端末システムに記憶することができる。主要通貨と代替通貨の間の変換は、例えば通貨間の変換レートを特定する変換データ構造（例えばテーブル）を使用して実行することができる。変換データ構造は、間隔をおいて更新することができ、各通貨間の変換値がそれらの値が有効である有効期間と関連付けられるようにし、それにより、有効期間の終了時に、現在の変換レート及び満了日を遠隔サーバからダウンロードすることによって変換レートが更新される。
【００５６】
この例では、変換データ構造を取引端末システムにローカルに保持するのではなく、取引端末システムが、取引が行われるのに応答して通貨変換レートを要求するように動作可能にすることもできる。
【００５７】
ステップ２０４で、ステップ２０２でユーザが購入したいと思う１つ又は複数の商品又はサービスに関する情報を収集したのに応答して、ユーザに対し、取引端末システム１０のＮＦＣインタフェースモジュール５５をモバイル通信デバイス４０でタップしてモバイル通信デバイス４０と取引端末システム１０のインタフェース接続を行うように、（自動的に取引端末システムからの音声出力又は視覚出力のうちの少なくとも１つによって）促すことができる。
【００５８】
ステップ２０６及び２０８で、取引端末システム１０とモバイル通信デバイス４０の間でハンドシェークプロセスが行われる。ステップ２０４で取引端末システム１０のＮＦＣインタフェースモジュール５５をモバイル通信デバイス４０でタップした結果として、取引端末システムは、ＮＦＣインタフェースモジュール１８６及び５５を介してウェイクアップコールをモバイル通信デバイスに送信して、モバイルアプリケーション７２０が休眠状態（非活動又はスリープモード）である場合にはモバイルアプリケーション７２０を起動し、活動状態にする。
【００５９】
ハンドシェークプロセスは、取引端末システム１０の取引処理モジュール４４が、モバイル通信デバイス４０のタップが取引端末システム１０との新たなセッションを表しているのか以前のセッションの継続を表しているのかを判定することも含むことができる。それが新たなセッションであるか否かは、取引処理モジュール４４がモバイルアプリケーション７２０に問い合わせて、モバイルアプリケーション７２０が、取引処理モジュール４４が依然として活動状態として識別するセッション識別子７２２を記録したかどうかを判定することによって判定することができる。取引端末システム（及び／又はモバイルアプリケーション）は、セッション識別子及び関連するセッションの状態のレコード４５を割当て、保持することができる。本明細書で述べる１つの例では、取引端末システムの取引処理モジュール４４は、モバイル通信デバイス４０との取引セッションを求める最初のタップでセッション識別子を割り当て、そのセッション識別子を、到達した処理段階を識別する補足識別子とともに維持する。モバイルアプリケーション７２０のセッション処理論理７２４は、取引処理論理４４によってセッション識別子７２２として割り当てられたセッション識別子をモバイル通信アプリケーション記憶装置に記憶し、次いで、到達した処理段階を識別する補足識別子も維持する。例えば、セッション識別子は、セッションレコードのセッション識別子フィールドのセッションに割り当てられた番号とすることができ、補足識別子は、補足ビットフィールドのビットとすることができ、この各ビットは、最初は第１の値に設定され、その後、その処理段階に到達したときに第２の値に変更される。
【００６０】
取引端末システムは、モバイルアプリケーションが保持する任意のセッション識別子を比較するように動作可能であり、セッション識別子が第２の値に設定された１つ又は複数の補足識別子と同一と識別された場合には、取引端末システムは、モバイル通信デバイスによる取引端末システムのＮＦＣインタフェースモジュールのタップが以前のセッションの継続であると識別することができ、この継続は、第２の値に設定された補足識別子によって識別される処理段階からの継続である。モバイル通信デバイスによるタップがモバイル通信デバイス４０と取引端末システム１０の間の新たな取引セッションを表している場合には、取引処理モジュール４４は、新たなセッション識別子をこのセッションに割り当て、上述のように、この識別したセッションを、取引端末システム１０の記憶装置に記録させ、モバイルアプリケーション７２０のセッション処理論理７２４にモバイル通信デバイス４０の記憶装置に記録させる。
【００６１】
ステップ２１０で、取引処理モジュール４４は、モバイル通信デバイス４０と取引端末システム１０の間で情報を交換させる。
【００６２】
これは、取引処理モジュール４４がＮＦＣインタフェースモジュール１８６及び５５を介してモバイル通信デバイス４０に問い合わせて、取引端末システムに転送して、取引端末システムによって保持されている取引端末システムの端末システム通貨（又は国名）を示す情報と比較することができるユーザの通貨及び／又はユーザの国名を示す情報がモバイル通信デバイス４０に保持されているかどうかを判定することを含むことができる。
【００６３】
上で論じたように、モバイル通信は、セキュア要素１９８を含むことができる加入者識別モジュール（ＳＩＭ）１９６を含むことができる。セキュア要素１９８は、決済情報（例えばクレジットカード又はその他の決済カードの情報）及び／或いはユーザの口座に関連する決済通貨又は国名を識別する情報（例えばクレジットカード又はその他の決済カードの情報）を含むことができる。これに関連して、クレジットカード又はその他の決済カードに言及していても、決済トークンはＳＩＭのセキュア要素に保持される情報又はそうでなければモバイル通信デバイスのセキュア記憶装置に保持される情報によって規定される仮想カードを含むことができるので、物理的なカードが必要であることを意味しているわけではないことに留意されたい。
【００６４】
端末システム通貨は、通常は、取引端末システムが取引を行うデフォルト通貨を形成する、取引端末システムの主要通貨である。例えば、取引端末システムがドイツに位置している場合には、主要通貨は、通常はユーロである。ただし、例えば取引端末システムが複数の通貨での取引を可能にするように構成される場合には、複数の端末システム通貨を設けることもできることに留意されたい。この１つ又は複数の端末システム通貨は、それぞれ、取引端末システムの記憶装置に保持される通貨コードによって識別することができる。端末が位置している国の端末国名コードも、取引端末システム１０の記憶装置に保持することができる。取引端末システム１０は、国名情報と通貨情報の間で変換を行う国名／通貨変換テーブル４８を含むことができる。
【００６５】
ユーザ通貨は、モバイル通信デバイス４０に記憶された通貨である。例えば、取引端末システム１０によって読み取られるユーザ通貨を示すモバイル通信デバイス４０に保持される情報は、ＳＩＭ１９６のセキュア要素１９８又はモバイル通信デバイス４０内の別のセキュア要素に保持することができる。これは、例えば、モバイル通信デバイスのユーザの口座（例えばクレジット又はデビット口座）の通貨、或いはユーザがモバイルアプリケーションを構成するときに選択する通貨とすることができる。例示的な適用業務では、例えばユーザの口座ごとに、複数のユーザ通貨を指定することができる。この１つ又は複数のユーザ通貨は、それぞれ、ＳＩＭ１９６のセキュア要素１９８又はモバイル通信デバイス４０内の別のセキュア要素に保持された各通貨コードによって識別することができる。加えて、ユーザ国名は、ＳＩＭ１９６のセキュア要素１９８又はモバイル通信デバイス４０内の別のセキュア要素に保持された国名コードによって識別することができる。ユーザ国名は、モバイル通信デバイスのユーザの口座（例えばクレジット又はデビット口座）の発行国名とすることができる。
【００６６】
例示的な実施形態では、ステップ２１２で、ＳＩＭのセキュア要素がユーザ通貨を示す指示を含むユーザの決済詳細を含む場合には、これらの詳細は、ＮＦＣインタフェースモジュール１８６及び５５を介してモバイル通信デバイス４０から取引端末システム１０に提供される。この段階で、モバイルアプリケーション７２０のセッション処理論理７２４が第１の補足識別子を第２の値に設定して、必要な情報が取引端末システムに伝送されたことを示すことができ、取引処理モジュール４４が第２の補足識別子を第２の値に設定して、必要な情報を取引端末システムが受け取ったことを示すことができる。
【００６７】
ステップ２１４で、取引端末システムは、１つ又は複数の端末システム通貨を１つ又は複数のユーザ通貨と比較する。
【００６８】
差異が検出された場合には、次いでステップ２１６で、取引端末システムは、購入しようとする商品の基本通貨に関係する端末通貨と１つ又は複数のユーザ通貨との間の通貨変換レートを決定し、この通貨変換レートに基づいて、異なる通貨で１つ又は複数の購入のコストを決定するように動作可能にすることができる。
【００６９】
例えば、上で論じたように、取引端末システムにローカルに保持される変換データ構造に問い合わせることができる場合、及び所与の通貨変換の満了日が期限切れになっている場合には、取引端末システムは、レート要求メッセージを遠隔サーバに送信して、遠隔サーバから現在の変換レートのダウンロードを得るように動作可能にすることができる。変換データ構造が取引端末システムにローカルに保持されていない場合には、各取引ごとに、取引端末システムは、レート要求メッセージを遠隔サーバに送信して、遠隔サーバから現在の変換レートのダウンロードを得るように動作可能にすることができる。この処理中に取引処理モジュール４４がさらに別の補足識別子を第２の値に設定して、到達した処理段階を記録することができる。
【００７０】
ステップ２１８で、取引端末システムは、得られた変換レートに基づいて、端末通貨及び１つ又は複数のユーザ通貨で代替価格を計算し、価格及び変換レート情報を含む購入提案を生成するように動作可能である。この購入提案は、例えば、端末システム通貨及びユーザ通貨での取引量、これらの通貨の通貨コード、並びに適用される通貨変換レート及び／又は手数料を含むことができる。任意選択で、購入しようとする各商品の説明及び／又は製品コードを、購入提案に含めることができる。取引端末システムは、次いで、購入提案をモバイル通信デバイスに送信するように動作可能にすることができる。さらなる補足識別子を、この処理中に取引処理モジュール４４が第２の値に設定して、到達した処理段階を記録することができ、モバイルアプリケーション７２０のセッション処理論理７２４が、購入提案が受け取られたことを示すことができる。
【００７１】
ステップ２１４で、端末システム通貨とユーザ通貨の間の差異が判定されない場合には、ステップ２１８で提供される購入提案は、端末システム通貨での取引量及びその通貨の通貨コードと、任意選択でそれらの購入の詳細とを含み、これがモバイル通信デバイスに転送される。
【００７２】
ユーザが取引端末システム１０のＮＦＣインタフェースモジュール５５からモバイル通信デバイス４０を取り除く前に計算が完了した場合には、通貨選択肢提案を、取引端末システム１０及びモバイル通信デバイス４０のＮＦＣインタフェースモジュール５５及び１８６を介して、取引端末システム１０からモバイルアプリケーション７２０に直接転送することができる。通常は、最初のタップの瞬間からの処理は、２００ｍｓ程度未満の時間しか要しないので、ほとんどの場合に、通貨選択肢提案は、ユーザが取引端末システム１０のＮＦＣインタフェースモジュール５５からモバイル通信デバイス４０を持ち上げる前に、モバイル通信デバイス４０に転送されることになる。
【００７３】
購入提案を受け取ると、さらなる補足識別子を、モバイルアプリケーション７２０のセッション処理論理７２４によって第２の値に設定して、購入提案が受け取られたことを示すことができる。モバイルアプリケーションのセッション処理論理７２４は、次いで、ステップ２２０で、ユーザインタフェース（ＵＩ）論理７３０を使用して購入提案を表示し、提案される取引量及び通貨又は通貨選択肢（利用可能な選択肢がある場合）を選択するようにユーザに促すように動作可能にすることができる。購入提案をモバイル通信デバイスのディスプレイに表示することは、取引の量を、端末システム通貨、及び通貨選択肢がある場合には少なくとも１つのユーザ通貨など、少なくとも１つの通貨で表示することを含む可能性がある。例えば、通貨選択肢提案をモバイル通信デバイスのディスプレイに表示することは、取引の量をユーザ通貨などの少なくとも１つの通貨で表示することと、端末システム通貨とユーザ通貨の間の通貨変換レート及び通貨変換手数料のうちの少なくとも１つを表示することとを含む可能性がある。さらなる補足識別子を、モバイルアプリケーション７２０のセッション処理論理７２４によって第２の値に設定して、到達した処理の段階を示すことができる。
【００７４】
ディスプレイは、ユーザが購入提案を選択すること、及び／又は通貨選択肢がある場合には取引用の通貨を選択することを可能にするように構成することができる。例えば、ユーザが選択可能なボタンを通貨オプションに隣接して表示する、又は通貨選択肢提案をユーザが選択可能な表示されるボタン内に表示することができる。受入れの検証を入力するようにユーザに促すことができる。例えば、モバイル通信デバイスは、例えば指紋センサなどの生体センサを備えることができる。モバイル通信デバイスが例えば指紋センサなどの生体センサを備え、通貨選択肢が選択可能な（現実又は仮想の）ボタンの選択によって示される、或いはモバイル通信デバイスに保持される通貨選択肢選好７２６によって予め選択されている場合には、指紋センサによってユーザの検証済みの指紋を感知することを利用して、１つのアクションで通貨選択肢を確認し、検証することもできる。或いは、モバイル通信デバイスが生体センサを備えない場合には、購入提案の受入れを検証するためにＰＩＮ又はその他の検証コードの入力が必要になることもある。
【００７５】
購入提案、及び／又は通貨選択肢がある場合には通貨の受入れを検証したのに応答して、またユーザが取引端末システム１０のＮＦＣインタフェースモジュール５５からモバイル通信デバイス４０を取り除く前にこれが検証された場合には、セッション処理論理は、ステップ２２２で、購入提案及び／又は通貨選択肢の選択の受入れを、モバイル通信デバイス４０及び取引端末システム１０のＮＦＣインタフェースモジュール１８６及び５５を介して取引端末システムに転送するように動作可能にすることができる。さらなる補足識別子を、モバイルアプリケーション７２０のセッション処理論理７２４及び取引端末システム１０の取引処理モジュール４４が第２の値に設定して、到達した処理段階を示すことができる。
【００７６】
ステップ２２４で、取引が上手く完了した場合には、ステップ２２６で、取引処理モジュール４４は、取引端末システム１０及びモバイル通信デバイス４０のＮＦＣインタフェースモジュール５５及び１８６を介して取引端末システム１０からモバイルアプリケーション７２０に確認を送信して、取引が完了したことを確認するように動作可能にすることができ、次いで、セッション処理論理が、例えばステップ２２８でモバイル通信デバイスのディスプレイに確認を表示することによってこのことをユーザに対して示すことができる。さらなる補足識別子を、モバイルアプリケーション７２０のセッション処理論理７２４及び取引端末システム１０の取引処理モジュール４４が第２の値に設定して、到達した処理段階を示すことができる。
【００７７】
ステップ２２４で、例えば発行側銀行によって決済が拒否されたなどの理由で取引が完了しなかった場合には、ステップ２２６で、取引処理モジュール４４は、取引端末システム１０及びモバイル通信デバイス４０のＮＦＣインタフェースモジュール５５及び１８６を介して取引端末システム１０からモバイルアプリケーション７２０に適当なメッセージを送信するように動作可能にすることができ、次いで、セッション処理論理が、例えばステップ２２８でモバイル通信デバイスのディスプレイに確認を表示することによってこのことをユーザに対して示すことができる。例えば複数の決済口座がモバイル通信デバイスに保持されている場合には、ユーザは、例えば異なる決済口座を使用してこのプロセスを再度開始するように促される可能性がある。さらなる補足識別子を、モバイルアプリケーション７２０のセッション処理論理７２４及び取引端末システム１０の取引処理モジュール４４が第２の値に設定して、到達した処理段階を示すことができる。
【００７８】
ステップ２２２及び２２４では、ユーザがモバイル通信デバイスをＮＦＣ読取り装置から取り除いていないものと仮定している。ただし、例えばモバイル通信デバイスのディスプレイの情報を読み取るため、及び／或いはモバイル通信デバイスのボタン又はモバイル通信デバイスに表示されるボタンを操作するために、ユーザが取引端末システム１０のＮＦＣインタフェースモジュール５５からモバイル通信デバイスを取り除くことがある可能性もある。取引端末システムの間のハンドシェークプロトコルは、（例えばハートビート信号を使用して）ＮＦＣ接続が切断されたかどうかを監視するように構成することができる。
【００７９】
例えば上述の処理が完了する前にユーザがモバイル通信デバイスをＮＦＣ読取り装置５５から取り除いた結果としてＮＦＣ接続が切断された場合には、モバイル通信デバイスのセッション処理論理及び／又は取引端末システムの取引処理モジュールは、処理を継続することができるようにモバイル通信デバイスで取引端末システムのＮＦＣインタフェースモジュール５５を再度タップするようにユーザに促すように動作可能にすることができる。取引端末システム１０の取引処理モジュール４４及びモバイルアプリケーションのセッション処理論理７２４が、補足識別子を使用して到達した処理段階のレコード又はログを保持しているので、ＮＦＣインタフェースモジュールが中断された場合にも、モバイル通信デバイスでもう一度取引端末システム１０のＮＦＣインタフェースモジュール５５をタップしたときに、モバイルアプリケーション７２０のセッション処理論理７２４及び取引端末システム１０の取引処理モジュール４４が補足識別子に問い合わせて到達した処理段階を決定することによって、適当な点から処理を再開することができる。
【００８０】
例えば、モバイル通信デバイス４０がステップ２２０で通貨選択肢提案を受け取る前に取引端末システム１０のＮＦＣインタフェースモジュール５５から取り除かれている場合には、セッション処理論理７２４は、例えばモバイル通信デバイスの音声、振動又は視覚プロンプトの少なくとも１つによってモバイル通信デバイスで取引端末システムのＮＦＣインタフェースモジュールを再度タップして購入提案を受け取るように、ユーザがＵＩ論理７３０によって促されるようにすることができる。このタップがあると、取引端末システムは、モバイルアプリケーションに保持されるセッション識別子７２２と取引端末システムに保持される現在のセッションのセッション識別子４５とを比較し、取引処理の段階を記録する取引ログをとり、そのセッションの続きとして通貨選択肢提案をモバイルアプリケーションに転送する必要があることを認識する。
【００８１】
図６Ｂは、図６Ａのステップ２１４、２１６及び２１８の動作の例をさらに詳細に示す図である。
【００８２】
図６Ｂに示す例では、ステップ２１４−１で、取引端末システムは、端末システム通貨をユーザ通貨と比較する。
【００８３】
端末システム通貨がユーザ通貨と同じである場合には、ステップ２１４−２で、処理はステップ２１８に進む。
【００８４】
端末システム通貨がユーザ通貨と同じでない場合には、ステップ２１４−２で、処理はステップ２１６に進む。
【００８５】
ステップ２１６−１で、取引処理モジュール４４は、レート要求メッセージを遠隔サーバに送信して、遠隔サーバからの現在の変換レートのダウンロードを得る。レート要求メッセージは、適当な通貨コードを使用して、取引識別子並びに端末システム通貨及びユーザ通貨を指定することができる。
【００８６】
ステップ２１６−２で、取引処理モジュール４４は、遠隔サーバから通貨変換レート応答を受け取る。変換通貨応答は、取引識別子、端末システム通貨コード及びユーザ通貨コード、並びに変換レートを含むことができる。
【００８７】
ステップ２１６−３で、取引処理モジュール４４は、端末通貨での取引量及び得られた変換レートに基づいて、ユーザ通貨での代替の価格を計算する。
【００８８】
ステップ２１８−１で、取引処理モジュール４４は、価格及び変換レートの情報を含む購入提案を生成する。ステップ２１４−１で端末システム通貨及びユーザ通貨が同じであると決定された場合には、購入提案は、例えば、端末システム通貨での取引量を含む可能性がある。任意選択で、購入しようとする各商品の説明及び／又は製品コードを購入提案に含めることもできる。ステップ２１４−１で端末システム通貨とユーザ通貨が異なると決定された場合には、購入提案は、例えば、端末システム通貨及びユーザ通貨での取引量、端末システム通貨及びユーザ通貨の通貨コード、並びに適用される通貨変換レート及び／又は手数料を含む可能性がある。任意選択で、購入しようとする各商品の説明及び／又は製品コードを購入提案に含めることもできる。
【００８９】
次いで、ステップ２１８−２で、取引処理モジュールは、取引端末システム１０及びモバイル通信デバイス４０のＮＦＣインタフェースモジュール５５及び１８６を介して購入提案をモバイル通信デバイス４０に送信するように動作可能にすることができる。
【００９０】
図６Ａを参照して論じたように、補足識別子を、ステップ２１４、２１６及び２１８の処理中に取引処理モジュール４４によって第２の値に設定して到達した処理段階を記録し、またセッション処理論理７２４によって第２の値に設定することができる。
【００９１】
図６Ａ及び図６Ｂを参照して述べたプロセスでは、通貨選択肢オプションの計算を取引端末システムによって実行し、次いでモバイルアプリケーションに転送する。代替の例では、モバイル通信デバイスによる取引端末システムのＮＦＣインタフェースモジュールの最初のタップに応答して、取引端末システムに、端末システム通貨コード及び（１つ又は複数の）購入の詳細をモバイルアプリケーションに転送させることができる。この代替の例では、取引端末システムではなくモバイルアプリケーションに、１つ又は複数の端末システム通貨を１つ又は複数のユーザ通貨と比較させることができる。差異が検出された場合には、モバイルアプリケーションに、通貨選択肢を計算させ、モバイル通信デバイスのディスプレイに通貨選択肢を提示させることができる。この場合には、通貨選択は、モバイルアプリケーションに保持される通貨変換レートに基づいて行うことができる。例えば、モバイル通信デバイスにローカルに又は遠隔に保持される変換データ構造に問い合わせることができ、所与の通貨変換の満了日が期限切れになっている場合には、現在の変換レートを遠隔サーバからダウンロードすることができる。ユーザが通貨選択肢の選択を行った後で、取引端末システムのＮＦＣインタフェースモジュールを通信デバイスでタップして通貨選択肢の選択を取引端末システムに転送するようにユーザに促すことができ、次いで、取引端末システムが、例えばユーザのクレジットカード口座を使用して、選択された通貨で従来の方法で取引を行うことができる。変換レートがモバイル通信デバイスに保持されている場合には、これらの変換レートを特定の間隔で（例えばユーザがローミング変化の可能性を回避するためにＷｉ−Ｆｉを介して接続したときなどに）ダウンロードすることもでき、上で論じたように、これらのレートには、特定の時間間隔後にそれらのレートが「タイムアウト」するようにタイムスタンプを与えることができる。変換レートに必要な記憶容量を最小限に抑えるために、モバイル通信にダウンロードされて記憶されるレートは、モバイル通信デバイスの現在位置に特有のレート、又はモバイル通信デバイスの現在位置に関係するレートとすることができる。モバイル通信デバイスの現在位置は、例えば従来のジオロケーション技法、モバイル通信デバイスが現在接続されている、又は最近接続されたことがあるモバイル電子通信セルの位置、或いはモバイル通信デバイスが現在接続されている、又は最近接続されたことがある取引端末システムの位置から決定することができる。
【００９２】
例えば、図７及び図８は、代替の例示的な実施形態を示す図である。この実施形態では、モバイルデバイス４０のモバイルアプリケーション７２０は、モバイル通信デバイスがモバイル通信の自国以外の国で接続したときを検出するように動作可能であり、次いで、自動通貨変換のための所定の選択肢を提案することができる。例えば、モバイルアプリケーション７２０は、ユーザ通貨選択肢選好パラメータを保持し、変換レート及び量を決定し、通貨提案が記憶されたユーザ通貨選択肢選好パラメータと一致すると判定したのにのみ応答してモバイル通信デバイスのディスプレイに通貨選択肢提案を表示させることができる。そうではなく通貨選択肢提案が記憶されたユーザ選好パラメータに対応する場合には、モバイルアプリケーション７２０は、記憶されたユーザ選好パラメータによって決定される取引端末システム通貨又はユーザ通貨で取引を行わせるように動作可能にすることができる。
【００９３】
図７は、モバイルアプリケーションが所定のパラメータをユーザに提供するために実行するステップを示している。
【００９４】
ステップ３０２で、モバイルアプリケーション７２０が起動される。１つの例では、これは、手動起動とすることができる。別の例では、モバイルアプリケーション７２０は、モバイル通信デバイス４０が新たなセルラ又はＷｉＦｉネットワークに接続したときに自動的に起動されるように動作可能にすることができる。
【００９５】
ステップ３０４で、モバイルアプリケーション７２０は、モバイル通信デバイス４０がユーザの自国（ユーザの自国）にあるか別の国にあるかを判定するように動作可能である。モバイルアプリケーション７２０は、従来のジオロケーション技法、又は例えばモバイル通信デバイス４０が接続されているモバイル通信ネットワークの通信ネットワーク識別子に応答することができる。
【００９６】
ステップ３０４で、モバイルアプリケーション７２０が、モバイル通信デバイス４０がモバイル通信デバイス４０の自国にあると決定した場合には、プロセスは３０６で終了する。
【００９７】
ステップ３０４で、モバイルアプリケーション７２０が、モバイル通信デバイス４０がモバイル通信デバイス４０の自国以外の国にあると決定した場合には、次いでステップ３０８で、モバイルアプリケーション７２０は、通貨オプションを事前選択するように促す１つ又は複数のプロンプトをユーザに対して提示するように動作可能にすることができる。
【００９８】
例えば、ステップ３０８で、モバイルアプリケーション７２０は、以下のユーザ選好パラメータ設定のうちの１つ又は複数をユーザが選択又は入力するオプションを（表示ボタン、ドロップダウンリストなどのうちの１つ又は複数を使用して）モバイル通信デバイス４０のディスプレイ１７４に提示するように動作可能にすることができる。すなわち、
・複数のクレジットカード情報が携帯電話に記憶されている場合に使用するのに好ましい決済カード（例えばクレジットカード）を特定する決済カード選好パラメータ３８２、
・モバイル通信デバイスが位置する国の現地通貨とユーザの自国（自国）のユーザ通貨の間の基本変換レートパラメータ３８４、
・その範囲内であればユーザが取引の度に変換レートを承認するかどうか尋ねられなくても変換レートを受け入れる、基本変換レートに対するしきい値パラメータ３８６（例えば２％などのパーセンテージ）、
・変換レートがしきい値パラメータより高い場合に、ユーザが
交換レートがしきい値パラメータより高いかどうか判断するように促されることを希望するか、
促されることなく変換を自動的に拒絶し、現地通貨を使用することを希望するか
を規定するプロンプトパラメータ３８８。
【００９９】
ユーザは、ステップ３０８で、モバイル通信デバイス４０のディスプレイ１７４を介して提供されるオプションを使用してパラメータ３８２〜３８８の適当なユーザ選好パラメータ値を入力するように動作可能であることがあり、次いでステップ３１０で、これらのパラメータ値を、モバイル通信デバイス４０のパラメータ記憶装置３８２〜３８８に記憶することができる。モバイル通信デバイスのモバイルアプリケーション７２０は、モバイル通信デバイスが位置している国の通貨変換データ構造を保持している遠隔ホストサーバにＷｉＦｉ又はモバイル通信ネットワーク接続を介してアクセスすることによって、その通貨変換データ構造の情報を記憶するように動作可能にすることもできる。
【０１００】
図７に示すプロセスでは、ユーザパラメータ選好パラメータ値の入力は、モバイル通信がユーザの自国にないとモバイルアプリケーションが決定したのに応答して実行されるが、例示的な実施態様では、モバイルアプリケーションは、その代わりに、又はそれに加えて、ユーザ選好パラメータ値をいつでも（例えば所期の行き先国に移動する前にユーザの自国で）入力できるオプションをユーザに提供することもできる。
【０１０１】
図８は、例えば店頭で取引を行うときに実行される例示的なステップを示す図である。
【０１０２】
ステップ４０２は、モバイル通信デバイス（ＭＣＤ）４０が取引端末システム（ＴＴＳ）１０のＮＦＣインタフェースモジュール５５に対して提示されたときのステップ２０２〜２１２に相当する動作を含むことができる。ただし、この例では、取引端末システム１０は、モバイル通信デバイスで取引端末システムのＮＦＣインタフェースモジュールに最初にタップしたのに応答して、端末システム通貨コード及び（１つ又は複数の）購入の詳細をモバイルアプリケーションに転送する。
【０１０３】
次いでステップ４０４で、モバイル通信デバイス４０のモバイルアプリケーション７２０は、モバイル通信デバイスが自国以外に国にある場合には、変換レート及び値を自動的に決定するように動作可能にすることができる。例えば、上で論じたように、通貨選択は、取引端末システムから受信する情報及び事前に設定され記憶されたパラメータ３８２〜３８８に応じたモバイルアプリケーション７２０に保持される通貨変換レートに基づいて行うことができる。例えば、モバイル通信デバイスが位置している国（及び可能な他の国）の変換データ構造は、モバイル通信デバイスにローカルに又は遠隔に保持することができ、またこれに問い合わせることができ、所与の通貨変換の満了日が期限切れになっている場合には、現在の変換レートを遠隔ホストサーバからダウンロードすることができる。
【０１０４】
モバイルアプリケーション７２０は、ステップ４０６で、提案された変換レートと基本変換レートパラメータ３８４の間の差がしきい値パラメータ３８６内であるかどうか（すなわち、提案される変換レートが、パラメータ３８４の基本変換レート値に対するパラメータ３８６のしきい値に対応するレートより良いかどうか）を判定するように動作可能にすることができる。
【０１０５】
ステップ４０６で、モバイルアプリケーション７２０が、提案される変換レートがパラメータ３８４の基本変換レート値に対するパラメータ３８６のしきい値に対応するレートより良い、又はそのレートに等しい（例えば、基本変換レートより２％高いレート以下である）と判定した場合には、モバイルアプリケーション７２０は、ステップ４１２で、自動的に自国通貨を取引通貨として使用するように動作可能である。
【０１０６】
ステップ４０６で、モバイルアプリケーション７２０が、提案される変換レートがパラメータ３８４によって示される基本変換レートに対するパラメータ３８６によって示されるしきい値によって示されるレートより悪い（例えば、基本変換レートより２％高いレートより高い）と判定した場合には、モバイルアプリケーション７２０は、ステップ４０８で、プロンプトパラメータ３８８が、ユーザが高い方の変換レートを受け入れるかどうかを促されることを示すかどうかを判定するように動作可能である。
【０１０７】
ステップ４０８で、モバイルアプリケーション７２０が、ユーザが促されるべきと決定した場合には、ステップ４１０で、モバイルアプリケーション７２０は、モバイル通信デバイス４０のディスプレイ１７４を使用して、提案される変換レートとパラメータ３０４の基本変換レートの差をユーザに通知し、この時点での交換レートを受け入れるか否かを決定する応答を入力するようにユーザに促す。ステップ４１０で、ユーザがプロンプトに対して、（例えばモバイル通信デバイス４０のソフトウェア又はハードウェアのボタンに触れることによって）提案された変換レートを受け入れることを示す応答をした場合には、モバイルアプリケーション７２０は、ステップ４１２で、自国通貨を取引に使用するようになる。ステップ４１０で、ユーザがプロンプトに対して、（例えばモバイル通信デバイス４０のソフトウェア又はハードウェアのボタンに触れることによって）提案された変換レートを受け入れないことを示す応答をした場合には、モバイルアプリケーション７２０は、ステップ４１４で、現地通貨を取引に使用するようになる。
【０１０８】
ステップ４０８で、モバイルアプリケーション７２０が、ユーザに促さないと決定した場合には、モバイルアプリケーション７２０は、ステップ４１４で、現地通貨を取引に使用するようになる。
【０１０９】
ステップ４１２又はステップ４１４の後で、モバイルアプリケーションは、ステップ４１６で、決済認可が実行された後で、適用可能である場合には、例えばモバイル通信デバイス４０のディスプレイ１７４を介して、選択された通貨及び変換量をユーザに通知するように動作可能である。さらに、ステップ４１６で、モバイルアプリケーション７２０は、モバイル通信デバイス４０の記憶装置に取引レコード４２０を記憶するように動作可能である。
【０１１０】
上述のように、モバイル通信デバイスは、決済カード詳細をセキュア要素（例えばＳＩＭ）に含むことができ、その場合には、モバイルアプリケーション及び／又は取引端末システムは、携帯電話が決済カード詳細を有することを検出し、決済カード詳細の決済口座を使用して取引を行うように動作可能にすることができる。ただし、別の例では、取引に使用される決済カードは、モバイル通信デバイスから分離していてもよく、その場合には、モバイル通信デバイスは、ユーザ通貨又は国名を示す指示は含むが、ユーザの決済口座を示す情報は含まず、分離した決済カードを使用して取引を行う。
【０１１１】
上述のように、モバイルアプリケーション７２０は、ユーザが通貨の選択肢を予め規定できるようにする、又はユーザが各取引ごとに別個に通貨の選択を行うことができるようにするように構成することができる。
【０１１２】
アプリケーションは、ユーザが好みの通貨を設定できるようにするように構成することができる。
【０１１３】
例示的な動作は、取引端末システムがモバイルアプリケーションを検出するステップと、取引端末システムが電話のチップではなくアプリケーションに問い合わせるステップと、既定の通貨がそのアプリケーションで特定されるかどうかに注意する、又はどこから発呼があったかを特定するステップと、これらの決定に基づいて通貨の選択肢を提案するステップとを含むことができる。
【０１１４】
モバイル通信デバイスのモバイルアプリケーションは、遠隔の通貨選択肢サーバとリアルタイムで接続するように構成することができる、或いは、レートは、モバイル通信デバイスに事前にロードしておくことができる。
【０１１５】
各プログラムモジュールは、プロセッサ４０及び１７０をそれぞれ動作させる１つ又は複数のコンピュータプログラム製品として具現化することができる。取引端末システム及び／又はモバイル通信デバイスの（１つ又は複数の）プロセッサ４０／１７０を制御するように動作可能な１つ又は複数のコンピュータプログラム製品は、図６Ａ及び図６Ｂを参照して説明したプロセス及びモジュールを実装することができる。各コンピュータプログラム製品は、例えばコンピュータ可読媒体を構成する搬送媒体に設けられる１つ又は複数のコンピュータプログラムの形態とすることができる。搬送媒体は、固体状態記憶媒体、磁気記憶媒体、光記憶媒体、磁気光学的記憶媒体、又はその他の記憶媒体などの記憶媒体とすることができる。搬送媒体は、放送媒体、電話媒体、コンピュータネットワーク媒体、有線媒体、ワイヤレス媒体、電気媒体、電磁気学的媒体、光媒体、又は任意のその他の伝送媒体とすることができる。
【０１１６】
本明細書で使用される場合「決済カード」という用語は、関連付けられた口座に基づいて取引を行うために使用することができるトークン、デバイス又は担体を指すものとして総称的に使用されていることに留意されたい。「決済カード」は、一体型チップが内蔵されていることもある従来の長方形のプラスチックのクレジットカードなどの形態をとる必要はなく、本明細書で適用される意味の範囲内で、クレジット、デビット、又はその他の形態の決済トークン、デバイス又は担体として機能可能である可能性があるその他の任意の形態をとることができることに留意されたい。例えば、本明細書で使用される場合「決済カード」という用語の意味の範囲内で、決済システムは、携帯電話、携帯情報端末（ＰＤＡ）又はその他の情報担体を「決済カード」として使用することに基づく、又はそのように使用することを可能にすることができる。このような場合、携帯電話は、通常は、ＥＭＶカードのチップの機能と等価な機能を有するチップ又はソフトウェアを備える。したがって、本明細書で決済カードに言及するときには、その「決済カード」は、関連付けられた口座に基づいて取引を行うように構成された決済トークン、デバイス又は担体として、例えば（例えば接触的又は非接触的方法で）決済端末システムとの間で情報を遣り取りする適当なソフトウェア及び手段又は機構として動作可能な任意の適当な形態を取り得ることを理解されたい。
【０１１７】
モバイル通信デバイスで取引端末システムのＮＦＣインタフェースモジュールを「タップする」と述べているが、これは、モバイル通信デバイス及び取引端末システムのＮＦＣインタフェースモジュールのインタフェース接続を行う一例として述べたものであることを理解されたい。モバイル通信デバイス及び取引端末システムのＮＦＣインタフェースモジュールの間の物理的接触は必ずしも必要ではないこともあり、実際に、例示的な実施形態では、モバイル通信デバイス及び取引端末システムのＮＦＣインタフェースモジュールを、モバイル通信デバイスのＮＦＣインタフェースモジュールが取引端末システムのＮＦＣインタフェースモジュールの有効範囲内に入るのに十分な程度に近接させるだけでよいこともある。したがって、本明細書で使用される場合「タップ」又は「タッピング」という表現は、モバイル通信デバイスのＮＦＣインタフェースモジュールが取引端末システムのＮＦＣインタフェースモジュールの有効範囲に入るように、モバイル通信デバイスのＮＦＣインタフェースモジュールを取引端末システムのＮＦＣインタフェースモジュールに十分に近接させるという意味であると理解されたい。
【０１１８】
上述の実施形態について詳細に説明したが、上記の開示が完全に理解されれば、多数の変形形態及び修正形態が当業者には明らかになるであろう。以下の特許請求の範囲は、このような変形形態及び修正形態並びにそれらの均等物の全てを含むものとして解釈されるものとする。
［発明の項目］
［項目１］
方法であって、
近距離場通信（ＮＦＣ）用に構成されたモバイル通信デバイスの、取引端末システムのＮＦＣインタフェースモジュールとのインタフェース接続に応答して、前記モバイル通信デバイスのモバイルアプリケーションと前記取引端末システムとの間で情報を交換するステップであって、交換される前記情報が、
前記取引端末システムの端末システム通貨を示す前記取引端末システムによって保持される情報、及び
ユーザ通貨を示す前記モバイル通信デバイスに保持される情報
のうちの少なくとも１つを含む、ステップと、
前記取引端末システム又は前記モバイルアプリケーションが、前記端末システム通貨を前記ユーザ通貨と比較し、差異がある場合には、通貨選択肢提案を前記モバイル通信デバイスのディスプレイに表示させるステップと、
前記ユーザ通貨のユーザ選択に応答して、前記ユーザ通貨で取引を実行させるステップと、
を含む方法。
［項目２］
前記モバイル通信デバイスの前記ディスプレイが、ユーザが通貨選択肢提案を選択することを可能にするように構成され、前記モバイル通信デバイスの前記ディスプレイを使用した通貨選択肢提案のユーザ選択に応答して、前記取引が前記ユーザ通貨で実行される、項目１に記載の方法。
［項目３］
情報の前記交換が、前記モバイル通信デバイスによる前記取引端末システムの前記ＮＦＣインタフェースモジュールに対する少なくとも最初のタップに応答して実行される、項目１又は２に記載の方法。
［項目４］
通貨選択肢提案を前記モバイル通信デバイスのディスプレイに表示させるステップが、取引の量を、前記端末システム通貨及び前記ユーザ通貨のうちの少なくとも１つを含む、少なくとも１つの通貨で表示するステップを含む、項目１〜３のいずれか一項に記載の方法。
［項目５］
通貨選択肢提案を前記モバイル通信デバイスのディスプレイに表示させるステップが、  取引の量を、ユーザ通貨を含む少なくとも１つの通貨で表示するステップと、
前記端末システム通貨と前記ユーザ通貨との間の通貨変換レート及び通貨変換手数料のうちの少なくとも１つを表示するステップと、を含む、項目１〜４のいずれか一項に記載の方法。
［項目６］
前記取引の前記量が、購入されるべき商品又はサービスについての情報の入力の結果として、前記取引端末システムによって決定される、項目４又は５に記載の方法。
［項目７］
前記モバイル通信デバイスの、前記取引端末システムの前記ＮＦＣインタフェースモジュールとのインタフェース接続に応答して、前記モバイルアプリケーションが、情報を交換するために起動される、項目１〜６のいずれか一項に記載の方法。
［項目８］
前記取引端末システム又は前記モバイルアプリケーションのうちの少なくとも１つが、通貨間の取引量を変換する通貨変換値を保持するステップを含む、項目１〜７のいずれか一項に記載の方法。
［項目９］
通貨変換値が、第１の通貨と第２の通貨との間の通貨変換レートを特定し、前記通貨変換レートの有効性の満了を示す、項目８に記載の方法。
［項目１０］
前記取引端末システム又は前記モバイルアプリケーションのうちの１つが、前記通貨変換レートの有効性が満了した通貨変換値にアクセスし、前記取引端末システム又は前記モバイルアプリケーションのうちの前記１つが、遠隔サーバにアクセスして現在の通貨変換値を取得する、項目９に記載の方法。
［項目１１］
ジオロケーション、前記モバイル通信デバイスが接続されているモバイル電気通信セルの位置、又は前記モバイル通信デバイスが接続されている取引端末システムの位置を使用して前記モバイル通信デバイスの位置を決定するステップと、
前記モバイル通信デバイスの前記決定された位置に基づいて、通貨変換値を遠隔サーバから前記モバイルアプリケーションにダウンロードさせるステップと、
を含む、項目１〜１０のいずれか一項に記載の方法。
［項目１２］
前記取引端末システム又は前記モバイルアプリケーションによる前記端末システム通貨及び前記ユーザ通貨の前記比較の結果として前記端末システム通貨及び前記ユーザ通貨の決定に応答して、前記取引通貨から前記ユーザ通貨への現在の通貨変換値を遠隔サーバから前記取引端末システム又は前記モバイルアプリケーションのうちの１つにダウンロードさせるステップを含む、項目１〜１１のいずれか一項に記載の方法。
［項目１３］
前記取引端末システム及び前記モバイル通信デバイスのうちの少なくとも１つが、取引セッションを識別するセッション識別子を保持するステップを含み、前記セッション識別子が、セッションの処理段階を特定し、それにより、ＮＦＣ通信の切断によってセッションが中断された場合に、前記セッションを前記ＮＦＣセッションの再開時に再開することができる、項目１〜１２のいずれか一項に記載の方法。
［項目１４］
前記取引端末システム及び前記モバイル通信デバイスのうちの少なくとも１つが、ＮＦＣ通信の切断を識別し、前記モバイル通信デバイスと前記取引端末システムとの間のインタフェースを再確立するようにユーザに促すように動作可能である、項目１〜１３のいずれか一項に記載の方法。
［項目１５］
前記取引端末システム又は前記モバイルアプリケーションが前記端末システム通貨を前記ユーザ通貨と比較し、差異がある場合には、通貨選択肢提案を前記モバイル通信デバイスのディスプレイに表示させるステップが、
モバイル通信デバイスのモバイルアプリケーションが、ユーザ通貨選択肢選好パラメータを記憶し、変換レート及び量を決定し、通貨提案が前記記憶したユーザ通貨選択肢選好パラメータと一致するとの判定に応答して、前記モバイル通信デバイスの前記ディスプレイに通貨選択肢提案の前記表示を引き起こすステップを含む、項目１〜１４のいずれか一項に記載の方法。
［項目１６］
前記モバイルアプリケーションが、前記モバイル通信デバイスが前記モバイル通信デバイスの自国以外の国にあると決定するステップと、ユーザにユーザ通貨選択肢選好パラメータを選択するように促すステップと、前記ユーザが選択した通貨選択肢選好パラメータを記憶するステップと、を含む、項目１５に記載の方法。
［項目１７］
プログラムコードを含む１つ又は複数のコンピュータプログラムであり、該プログラムコードが項目１〜１６のいずれか一項に記載の方法を実行するように動作可能である、コンピュータプログラム。
［項目１８］
近距離場通信（ＮＦＣ）インタフェースモジュールを備える取引端末システムであって、前記取引端末システムは、ＮＦＣ用に構成されたモバイル通信デバイスの、前記取引端末システムの前記ＮＦＣインタフェースモジュールとのインタフェース接続に応答して、
前記モバイル通信デバイスのモバイルアプリケーションと前記取引端末システムとの間で情報の交換を引き起こすステップであって、交換される前記情報が、
前記取引端末システムの端末システム通貨を示す前記取引端末システムによって保持される情報、及び
ユーザ通貨を示す前記モバイル通信デバイスに保持される情報
のうちの少なくとも１つを含む、ステップと、
前記端末システム通貨を前記ユーザ通貨と比較し、差異がある場合には、通貨選択肢提案を前記モバイル通信デバイスのディスプレイに表示させるステップと、
前記ユーザ通貨のユーザ選択に応答して、前記ユーザ通貨で取引を実行させるステップと、
を実行するように構成されている取引端末システム。
［項目１９］
前記モバイル通信デバイスの前記ディスプレイが、ユーザが通貨選択肢提案を選択することを可能にするように構成され、前記モバイル通信デバイスの前記ディスプレイを使用した通貨選択肢提案のユーザ選択に応答して、前記取引が前記ユーザ通貨で実行される、項目１８に記載の取引端末システム。
［項目２０］
情報の前記交換を、前記モバイル通信デバイスによる前記取引端末システムの前記ＮＦＣインタフェースモジュールに対する少なくとも最初のタップに応答して実行するようにさらに構成されている、項目１８又は１９に記載の取引端末システム。
［項目２１］
購入されるべき商品又はサービスについての情報の入力の結果として、前記取引の前記量を決定するように構成されている、項目１８〜２０のいずれか一項に記載の取引端末システム。
［項目２２］
前記端末システム通貨と前記ユーザ通貨が異なるとの決定に応答して、前記取引通貨から前記ユーザ通貨への現在の通貨変換値を遠隔サーバから前記取引端末システムにダウンロードさせるように構成されている、項目１８〜２２のいずれか一項に記載の取引端末システム。
［項目２３］
取引セッションを識別するセッション識別子を保持するように構成されており、前記セッション識別子が、セッションの処理段階を特定し、それにより、ＮＦＣ通信の切断によってセッションが中断された場合に、前記セッションが前記ＮＦＣセッションの再開時に再開される、項目１８〜２３のいずれか一項に記載の取引端末システム。
［項目２４］
ＮＦＣ通信の切断を識別し、前記モバイル通信デバイスと前記取引端末システムとの間のインタフェースを再確立するようにユーザに促すように構成されている、項目１８〜２３のいずれか一項に記載の取引端末システム。
［項目２５］
近距離場通信（ＮＦＣ）インタフェースモジュールを備えるモバイル通信デバイスであって、前記モバイル通信デバイスは、前記モバイル通信デバイスの、取引端末システムのＮＦＣインタフェースモジュールとのインタフェース接続に応答して、
前記モバイル通信デバイスのモバイルアプリケーションと前記取引端末システムとの間で情報を交換するステップであって、交換される前記情報が、
前記取引端末システムの端末システム通貨を示す前記取引端末システムによって保持される情報、及び
ユーザ通貨を示す前記モバイル通信デバイスに保持される情報
のうちの少なくとも１つを含む、ステップと、
前記取引端末システムからの通貨選択肢提案の受けとりに応答して、前記通貨選択肢提案を前記モバイル通信デバイスのディスプレイに表示するステップと、
前記ユーザ通貨のユーザ選択に応答して、前記ユーザ通貨で取引を実行するために前記ユーザ選択を前記取引端末システムに伝送するステップと、
を実行するように構成されているモバイル通信デバイス。
［項目２６］
前記モバイル通信デバイスの前記ディスプレイが、ユーザが通貨選択肢提案を選択することを可能にするように構成され、前記モバイル通信デバイスの前記ディスプレイを使用した通貨選択肢提案のユーザ選択に応答して、前記取引が前記ユーザ通貨で実行される、項目２５に記載のモバイル通信デバイス。
［項目２７］
情報の前記交換を、前記モバイル通信デバイスによる前記取引端末システムの前記ＮＦＣインタフェースモジュールに対する少なくとも最初のタップに応答して実行するように構成されている、項目２５又は２６に記載のモバイル通信デバイス。
［項目２８］
取引の量を、前記端末システム通貨及びユーザ通貨のうちの少なくとも１つを含む、少なくとも１つの通貨で表示するように構成されている、項目２５〜２７のいずれか一項に記載のモバイル通信デバイス。
［項目２９］
取引の量を、前記ユーザ通貨を含む少なくとも１つの通貨で表示し、
前記端末システム通貨と前記ユーザ通貨との間の通貨変換レート及び通貨変換手数料のうちの少なくとも１つを表示するように構成されている、項目２５〜２８のいずれか一項に記載のモバイル通信デバイス。
［項目３０］
前記モバイル通信デバイスの、前記取引端末システムの前記ＮＦＣインタフェースモジュールとのインタフェース接続に応答して、前記モバイルアプリケーションを、情報を交換するために起動させるように構成されている、項目２５〜２９のいずれか一項に記載のモバイル通信デバイス。
［項目３１］
取引セッションを識別するセッション識別子を保持するように構成され、前記セッション識別子が、セッションの処理段階を特定し、それにより、ＮＦＣ通信の切断によってセッションが中断された場合に、前記セッションを前記ＮＦＣセッションの再開時に再開することができる、項目２５〜３０のいずれか一項に記載のモバイル通信デバイス。
［項目３２］
ＮＦＣ通信の切断を識別し、前記モバイル通信デバイスと前記取引端末システムとの間のインタフェースを再確立するようにユーザに促すように構成されている、項目２５〜３０のいずれか一項に記載のモバイル通信デバイス。
［項目３３］
近距離場通信（ＮＦＣ）インタフェースモジュールを備えるモバイル通信デバイスのモバイルアプリケーションであって、前記モバイル通信デバイスは、前記モバイル通信デバイスの、取引端末システムのＮＦＣインタフェースモジュールとのインタフェース接続に応答して、前記モバイル通信デバイスのモバイルアプリケーションと前記取引端末システムとの間で情報を交換するように構成されており、
交換される前記情報は、前記取引端末システムから前記モバイル通信デバイスの前記モバイルアプリケーションが受けた取引情報を少なくとも含み、
前記モバイルアプリケーションは、前記モバイル通信デバイスに対して、
ユーザ通貨選択肢選好パラメータを記憶するステップと、
変換レート及び量を決定するステップと、
通貨提案が前記記憶したユーザ通貨選択肢選好パラメータと一致するとの決定に応答して、前記モバイル通信デバイスの前記ディスプレイに通貨選択肢提案を表示し、それ以外の場合には、自動的に、前記記憶したユーザ通貨選択肢選好パラメータに従って取引を行うステップと、
を実行させるように動作可能である、モバイルアプリケーション。
［項目３４］
前記モバイル通信デバイスに対して、
前記モバイル通信デバイスのディスプレイに取引のレコードを表示するステップ、及び
前記モバイル通信デバイスの記憶装置に取引のレコードを記憶するステップ
のうちの少なくとも１つを実行させるようにさらに動作可能である、項目３３に記載のモバイルアプリケーション。
［項目３５］
前記モバイル通信デバイスに対して、
前記モバイル通信デバイスが前記モバイル通信デバイスの自国以外の国にあると決定するステップと、
ユーザにユーザ通貨選択肢選好パラメータを選択するように促すステップと、
前記ユーザが選択した通貨選択肢選好パラメータを記憶するステップと、
を実行させるようにさらに動作可能である、項目３３又は３４に記載のモバイルアプリケーション。
【図１】
0006696683.tif 000002
【図２】
0006696683.tif 000003
【図３】
0006696683.tif 000004
【図４】
0006696683.tif 000005
【図５】
0006696683.tif 000006
【図６Ａ】
0006696683.tif 000007
【図６Ｂ】
0006696683.tif 000008
【図７】
0006696683.tif 000009
【図８】
0006696683.tif 000010